(57)【特許請求の範囲】
【請求項１】
無人航空機（ＵＡＶ）であって、
機体と、
翼と、
前記機体に結合するように構成された翼移動装置と、を備え、
前記翼移動装置は、形状が略矩形であり、前記翼を前記ＵＡＶに結合するための複数の開口部を含み、該複数の開口部は、前記翼移動装置の互いに略平行な第１の側部と第２の側部に沿って配置され、前記複数の開口部は、前記ＵＡＶの重心に基づいて、前記翼を前記機体に沿って前方向又は後方向に移動できるように構成される、
ことを特徴とするＵＡＶ。
【請求項２】
前記翼は、前記ＵＡＶから着脱可能であり、１又は２以上の締結具を用いて前記翼移動装置に結合するように構成される、
請求項１に記載のＵＡＶ。
【請求項３】
前記翼移動装置は、前記機体に取り外し可能に結合する、
請求項１に記載のＵＡＶ。
【請求項４】
前記翼移動装置は、前記機体の頂部に結合する、
請求項１に記載のＵＡＶ。
【請求項５】
前記翼移動装置は、前記機体の底部に結合する、
請求項１に記載のＵＡＶ。
【請求項６】
前記翼移動装置は、前記機体の内部に結合し、
前記機体は、前記機体に前記翼を通すように構成された複数の開口部を含む、
請求項１に記載のＵＡＶ。
【請求項７】
前記翼移動装置は、抗力を減少させるように構成されたエアロスカートをさらに含む、請求項１に記載のＵＡＶ。
【請求項８】
前記ＵＡＶは、バラストを使用せずに飛行するように構成される、
請求項１に記載のＵＡＶ。
【請求項９】
前記翼は、前記ＵＡＶの重心が前記翼の揚力点と整合する位置において前記翼移動装置に取り付けられる、
請求項１に記載のＵＡＶ。
【請求項１０】
前記翼は、第１の部分と、第２の部分とを含み、
前記翼移動装置は、第１の側部と、第２の側部を含み、
前記翼の第１の部分は、前記翼移動装置の前記第１の側部に結合し、前記翼の第２の部分は、前記翼移動装置の前記第２の側部に結合する、
請求項１に記載のＵＡＶ。
【請求項１１】
航空機であって、
翼と、
前記航空機に結合するように構成された翼移動装置と、を備え、
前記翼移動装置は、形状が略矩形であり、前記翼を前記航空機に結合するための複数の開口部を含み、該複数の開口部は、前記翼移動装置の互いに略平行な第１の側部と第２の側部に沿って配置され、前記複数の開口部は、前記航空機の重心に基づいて前記翼を前方向又は後方向に移動できるように構成される、
ことを特徴とする航空機。
【請求項１２】
前記翼は、前記航空機からから着脱可能であり、１又は２以上の締結具を用いて前記翼移動装置に結合するように構成される、
請求項１１に記載の航空機。
【請求項１３】
前記翼移動装置は、前記航空機に取り外し可能に結合する、
請求項１１に記載の航空機。
【請求項１４】
前記翼移動装置は、前記航空機の頂部に結合する、
請求項１１に記載の航空機。
【請求項１５】
前記翼移動装置は、前記航空機の底部に結合する、
請求項１１に記載の航空機。
【請求項１６】
前記翼移動装置は、前記航空機の内部に結合し、
前記航空機は、前記航空機に前記翼を通すように構成された複数の開口部を含む、
請求項１１に記載の航空機。
【請求項１７】
前記翼移動装置は、抗力を減少させるように構成されたエアロスカートをさらに含む、請求項１１に記載の航空機。
【請求項１８】
前記航空機は、バラストを使用せずに飛行するように構成される、
請求項１１に記載の航空機。
【請求項１９】
前記翼は、前記航空機の前記重心が前記翼の揚力点と整合する位置において前記翼移動装置に取り付けられる、
請求項１１に記載の航空機。
【請求項２０】
前記翼は、第１の部分と、第２の部分とを含み、
前記翼移動装置は、第１の側部と、第２の側部を含み、
前記翼の第１の部分は、前記翼移動装置の前記第１の側部に結合し、前記翼の第２の部分は、前記翼移動装置の前記第２の側部に結合する、
請求項１１に記載の航空機。
【発明の詳細な説明】
【技術分野】
【０００１】
本開示は、一般に航空機に関し、具体的には、航空機翼移動装置に関する。
【背景技術】
【０００２】
航空機のバランス及び安定性は、航空機の揚力点及び重心の影響を受ける。バランス及び安定性を維持するために、最適な重心位置は、航空機の揚力点又はその付近である。従って、航空機は、その揚力点と重心とがバランス範囲内で整合している時にバランスが取れている。
【０００３】
一般に、揚力点は、通常は航空機の主翼である主揚力面によって定められる。航空機の重心の位置は、航空機の重量配分に応じて変化する。具体的に言えば、航空機の重心は、全重量が集中する地点まで機体に対して前方又は後方に移動する。
【発明の概要】
【課題を解決するための手段】
【０００４】
１つの実施形態によれば、無人航空機（「ＵＡＶ」）が、機体、翼、及び翼移動装置を含む。翼移動装置は、機体に結合するように構成され、翼をＵＡＶに結合するための複数の開口部を含む。複数の開口部は、ＵＡＶの重心に基づいて、翼を機体に沿って前方向又は後方向に移動できるように構成される。
【０００５】
いくつかの実施形態の技術的利点として、最大積載量の増加及び航空機性能の向上を挙げることができる。当業者には、以下の図、説明及び特許請求の範囲から他の技術的利点が容易に明らになるであろう。さらに、上記では特定の利点について列挙したが、様々な実施形態は、列挙した利点の全てを含むことも、一部を含むことも、又は全く含まないこともある。
【０００６】
以下、本開示及びその利点をさらに完全に理解できるように、添付図面と併せて以下の説明を参照する。
【図面の簡単な説明】
【０００７】
【図１】本開示の実施形態による、航空機に結合した翼移動装置の例を示す図である。
【図２】本開示の実施形態による、図１の翼移動装置の平面図である。
【図３】本開示の実施形態による、図１の翼移動装置の例の別のビューである。
【図４Ａ】本開示の実施形態による、図１の翼移動装置の使用例を示す図である。
【図４Ｂ】本開示の実施形態による、図１の翼移動装置の使用例を示す図である。
【図４Ｃ】本開示の実施形態による、図１の翼移動装置の使用例を示す図である。
【図４Ｄ】本開示の実施形態による、図１の翼移動装置の使用例を示す図である。
【発明を実施するための形態】
【０００８】
本開示をより良く理解できるように、以下のいくつかの実施形態例を示す。以下の例は、本開示の範囲を限定又は規定するものと解釈すべきではない。本開示の実施形態及びその利点は、同じ数字を用いて同じ部分及び対応する部分を示す図１〜図４Ｄを参照することによって最も良く理解される。
【０００９】
一般に、無人航空機（「ＵＡＶ」）を含む航空機は、燃料、乗客、手荷物、設備などの形の搭載重量を運ぶ。搭載重量は、重心をその最適な位置から安全でない位置に（すなわち、航空機のバランス範囲外に）動かすことによって航空機をアンバランスにする。この影響に対抗するために、航空機はバラストを必要とすることがある。バラストは、重心を最適な位置に（すなわち、航空機のバランス範囲内に）戻すために航空機に加えられる加重材料である。通常、バラストは、航空機の機首又は尾部に加えられるが、航空機に沿ったあらゆる箇所に加えることができる。バラストは、航空機のバランスをうまく取り戻すことができるが、バラストの使用にはいくつかの不利点がある。例えば、バラストは、航空機内の使用可能な空き容量を減少させるので、最大積載量が減少してしまう。バラストを使用する別の不利点は、バラストによって航空機性能が著しく低下する点である。航空機が離陸するには、航空機の総重量を揚力によって相殺しなければならないので、重量は航空機性能にとって負担である。従って、バラストを積んだ航空機は、使用できない余分な搭載重量を補償するためにさらなる揚力を生み出さなければならない。従って、最大積載量の減少又は航空機性能の著しい低下を伴わずに航空機のバランスを取る解決策が必要とされている。
【００１０】
本開示の教示は、航空機翼移動装置を使用してペイロード及び重心の変化に対応することによって、典型的な航空機のこれらの及びその他の問題点を低減又は排除することができると認識する。以下、これらの及びその他の所望の特徴を提供する翼移動装置について説明する。
【００１１】
図１に、本開示のいくつかの実施形態による、航空機１００に結合した翼移動装置の例１５０を示す。航空機１００は、ペイロード１３０を運ぶ機体１２０を含む。この実施形態では、翼移動装置１５０が、機体１２０の頂部に結合する。翼移動装置１５０の遠位面には、翼１１０が取り付けられる。
【００１２】
一般に、翼移動装置１５０は、ペイロード１３０及び重心１６０の変化に対応するために、航空機１００の機体１２０及び翼１１０に結合して、翼１１０を機体１２０に沿って前方又は後方に移動させることができる。以下で図４Ａ〜図４Ｄを参照しながらさらに詳細に説明するように、翼移動装置１５０は、航空機１００のあらゆる適切な部分に結合することができる。航空機１００は、限定するわけではないが、ＵＡＶを含むいずれかの適切な航空機とすることができる。
【００１３】
上述したように、翼１１０は、航空機１００の揚力点１７０を定める。いくつかの実施形態では、翼１１０が、航空機１００の主翼である。図１に示すように、航空機１００の揚力点１７０は、翼１１０によって定められる。図１には、高翼マウントを有する（すなわち、翼１１０が機体１２０の頂部に結合する）航空機１００を示している。以下で図４Ａ〜図４Ｄを参照して詳細に説明するように、本開示では、中間翼マウント、低翼マウント及び側翼マウントを有する航空機を含むさらなる実施形態についても検討する。
【００１４】
いくつかの実施形態では、機体１２０が、航空機１００の中心構造又は本体である。典型的な航空機では、機体１２０が翼１１０に結合し、ペイロード１３０を収容又は支持する航空機の区分である。図示の実施形態では、機体１２０が魚雷形（すなわち、端部がテーパ状になった管状）である。しかしながら、本開示では、機体１２０はあらゆる適切な形状又は寸法を有することができると認める。
【００１５】
いくつかの実施形態では、航空機１００がペイロード１３０を含む。上述したように、飛行中の航空機の操作性、制御性及び効率を確保するには航空機１００の良好なバランスが必要であるため、一般にペイロード１３０の位置は慎重に検討される。ほとんどの場合、ペイロード１３０は、航空機の飛行の性質に応じて変化する。例えば、いくつかの民間航空機の実施形態では、ペイロード１３０が、乗員、乗客、手荷物、燃料及び設備を含むことができる。ＵＡＶの実施形態では、ペイロード１３０が、電源（例えば、バッテリ）、コントローラ及びカメラを含むことができる。図示のように、ペイロード１３０は、航空機１００の尾部付近の機体１２０の下側に結合する。図１では、ペイロード１３０を特定の位置に示しているが、当業者であれば、ペイロード１３０を機体１２０沿いの又は機体１２０内のあらゆる箇所に位置付けることができると認識するであろう。さらに、ペイロード１３０は、機体１２０全体を通じて分散させることもできる。例えば、航空機１００のペイロード１３０は、航空機１００の尾部付近に位置する貨物と、機首付近に位置する乗員とを含むことができる。従って、本開示では、ペイロード１３０は航空機１００の飛行の性質によって変化することができ、ペイロード１３０の追加、変更又は除去は航空機１００の重量配分に影響すると認める。
【００１６】
一般に、翼移動装置１５０は、あらゆる適切な手段によって機体１２０のあらゆる適切な部分に結合することができる。図１には、翼移動装置１５０を機体１２０の頂部に取り付けられた形で示しているが、本開示では、翼移動装置１５０を機体１２０のあらゆる適切な部分に取り付けること（例えば、図４Ａ〜図４Ｄに例示する実施形態）についても検討する。いくつかの実施形態では、翼移動装置１５０が、機体１２０に恒久的に結合する。恒久的な取り付けは、溶接、半田付け、溶着、セメント結合、接着剤による接合、或いは翼移動装置１５０を機体１２０に恒久的に係止する他のあらゆる適切な方法を含むことができる。
【００１７】
いくつかの実施形態では、翼移動装置１５０が、機体１２０に取り外し可能に結合する。翼移動装置１５０は、締結具１１５（例えば、１１５ａ〜ｄ）を用いて機体１２０に結合することができる。締結具１１５は、ボルト、ボタン、バックル、タイ、クランプ、留め金、釘、ペグ及び／又はねじを含むことができる。また、締結具１１５は、翼移動装置１５０を機体１２０に機械的に取り付ける他のあらゆる適切な装置を含むこともできる。いくつかの実施形態では、低コスト、使い易さ及び効率性を理由につまみねじ１１５を使用することができる。他の実施形態では、重量性締結具１１５が使用される。いくつかの実施形態では、締結具１１５が、確実な結合を保証するために工具又は器具を必要とすることもある。使用する締結具１１５のタイプは、航空機の懸念事項（例えば、航空機又はその構成要素の重量、航空機の用途など）に基づくことができる。
【００１８】
一般に、翼移動装置１５０は、翼１１０を航空機１００に取り付けるために使用される。翼１１０は、翼移動装置１５０に恒久的に又は取り外し可能に取り付けることができる。翼１１０は、締結具１１５を用いて翼移動装置１５０に結合することができる。
【００１９】
いくつかの実施形態では、翼移動装置１５０を、炭素繊維、カーボンナノチューブ、セルロースナノクリスタル、ケブラ、プラスチック、金属、及び／又はこれらの材料のいずれかの組み合わせで構成することができる。本開示では、翼移動装置１５０をあらゆる好適な材料で構成することを認める。翼移動装置１５０は、頑丈で軽量な材料で形成されることが好ましい。
【００２０】
翼移動装置１５０の形状及びサイズは、航空機１００の異なる用途及び構成によって変化することができる。例えば、重量が２５０グラムの航空機上の翼移動装置１５０は、形状が正方形であり、２インチの長さを有することができる。これに比べて、重量が７５０キログラムの航空機上の翼移動装置１５０は、形状が矩形であり、２フィートの長さを有することができる。本開示では、航空機は様々な形状及びサイズであり、翼移動装置１５０は、翼移動装置１５０を利用する航空機に従ってあらゆる適切な形状及びサイズを有することができると認める。
【００２１】
図２〜図３に示すように、翼移動装置１５０は、翼移動装置１５０を機体１２０に結合するとともに翼１１０を翼移動装置１５０に結合する複数の開口部２１５及び３０５を含むことができる。開口部２１５及び３０５のサイズ及び形状は、航空機の懸念事項（例えば、航空機のサイズ、航空機の重量、航空機の用途、使用する締結具など）に従って変化することができる。いくつかの実施形態では、開口部２１５が、特定のペイロード１３０のために予め構成される。例えば、航空機１００が、カメラを含むペイロード１３０を運んでいる時には、翼移動装置１５０の予め構成された第１の開口部２１５の組に翼１１０を取り付けることができる。別の例として、航空機１００が、全地球測位システム（「ＧＰＳ」）を含むペイロード１３０を運んでいる時には、翼移動装置１５０の予め構成された第２の開口部２１５の組に翼１１０を取り付けることができる。予め構成することにより、翼移動装置１５０に沿って翼１１０を調整する際の効率を高めることができる。
【００２２】
いくつかの実施形態では、翼移動装置１５０が、様々な効用及び／又は設計特徴を含むことができる。例えば、いくつかの実施形態では、翼移動装置１５０がエアロスカート２３０を含むことができる。エアロスカート２３０は、翼移動装置１５０の輪郭によって定めることができる。一般に、エアロスカート２３０は、翼移動装置１５０と機体１２０との間に空気が伝わるのを防ぐことができる。従って、エアロスカート２３０は、抗力を低下させることによって航空機性能を高めることができる。別の例として、いくつかの実施形態では、翼移動装置１５０がストレージソリューションを含むことができる。区画２４０などのストレージソリューションも、翼移動装置１５０の輪郭によって定めることができる。一例として、区画２４０は、翼１１０に関連する電気コネクタ又は空気圧コネクタを収容することができる。翼移動装置１５０と一体のストレージソリューションを確立することにより、航空機１００の最大積載量をさらに増加させることができる。
【００２３】
上述したように、翼１１０は、翼移動装置１５０に結合することができる。いくつかの実施形態では、翼１１０が、翼移動装置１５０に恒久的に結合する。他の実施形態では、翼１１０が、翼移動装置１５０に取り外し可能に結合する。いくつかの実施形態では、翼１１０が、締結具１１５を用いて装置１５０に結合する。図２〜図３に示すように、翼移動装置１５０は、翼移動装置１５０の上面３１０又は翼移動装置１５０の側面３２０への翼１１０の取り付けを可能にする複数の開口部２１５を含むことができる。
【００２４】
ペイロード１３０及び重心１６０の変化に対応するには、翼移動装置１５０の開口部２１５又は３０５を用いて翼１１０を機体１２０に沿って移動させることによって翼１１０の位置を変更することが有利となり得る。従って、いくつかの実施形態では、翼１１０が、航空機１００の重心１６０の変化に基づいて移動され、翼移動装置１５０に固定される。例えば、図１では、ペイロード１３０を、航空機１００の尾部付近の機体１２０に固定することができる。この結果、航空機１００の重心１６０は後方に移動して、揚力点１７０と重心１６０との不整合を引き起こす。揚力点１７０は翼１１０によって定められるので、翼１１０の位置を調整すると、航空機１００の揚力点１７０の位置が調整される。従って、翼１１０を翼移動装置１５０に沿って後方に動かすことによって航空機１００の揚力点１７０が移動する。翼１１０を正しく位置付けると、重心１６０が揚力点１７０と再整合して航空機１００のバランスが確保される。
【００２５】
翼移動装置１５０への翼１１０の結合は、手動で行うことができる。いくつかの実施形態では、翼１１０が、翼移動装置１５０の開口部２１５又は３０５に対応する複数の開口部を含むことができる。いくつかの実施形態では、翼１１０を翼移動装置１５０にしっかりと結合するように、翼１１０の開口部を翼移動装置１５０の開口部２１５に位置合わせする。このようにして、翼１１０を前方（すなわち、航空機の機首の方向）又は後方（すなわち、航空機の尾部の方向）に移動させ、翼移動装置１５０の開口部２１５、３０５及び翼１１０の開口部の配置によって翼移動装置１５０の特定の位置に固定することができる。
【００２６】
本開示では、翼１１０を翼移動装置１５０に沿って機械的に移動できることについても検討する。いくつかの実施形態では、航空機１００が、翼１００を機体１２０に沿って前方及び後方に動かすように構成された１又は２以上のモータ（図示せず）に通信可能に結合したコントローラ（図示せず）を含む。コントローラは、いずれかの適切な（例えば、有線又は無線）通信リンクを介してモータに命令を与えるように構成することができる。いくつかの実施形態では、コントローラがコンピュータシステムを含み、又はコンピュータシステムである。一例として、翼１１０は、コントローラから命令を受け取ったことに応答して、翼移動装置１５０に沿って第１の位置から、航空機の揚力点１７０が重心１６０と整合する位置である第２の位置に自動的に移動する。従って、本開示では、ペイロード１３０及び重心１６０の変化に起因する翼１１０の位置変更の自動化を認める。
【００２７】
動作中、翼移動装置１５０は、機体１２０沿いの又は機体１２０内の所望の位置において機体１２０に結合する。いくつかの実施形態では、翼移動装置１５０が、締結具１１５を用いて機体に結合する。例えば、翼移動装置１５０は、翼移動装置１５０の開口部２１５を通じて締結具１１５を固定することによって機体１２０に結合することができる。その後、航空機１００にペイロード１３０（例えば、乗員、乗客、貨物、設備など）を積み込み、又は固定することができる。航空機１００上の又は航空機１００内のペイロード１３０の位置は、重心１６０の位置を変化させることができる。その後、揚力点１７０と航空機１００の重心１６０とが整合する位置において、（例えば、締結具１１５を用いて）翼移動装置１５０に翼１１０を結合することができる。この整合によって航空機１００がバランスを保ち、この時点で航空機１００の飛行準備が整う。
【００２８】
航空機１００は、その後の飛行において異なる目的に使用することができるが、安全性及び効率性を確保するためにバランス調整し直すことが必要となり得る。この理由は、ペイロード１３０の重量又は位置が変化することによって、航空機の重心１６０と揚力点１７０とが整合しなくなる可能性があるからである。例えば、図１では、ペイロード１３０が航空機１００の尾部付近に固定されている。ペイロード１３０を機体１２０沿いのこの位置に固定することによって、航空機１００の重心１６０が後方（航空機１００の尾部の方向）に移動し、もはや航空機１００の揚力点１７０と整合しなくなる。この結果、航空機１００は、最適なバランスを有していない。従って、ペイロード１３０及び重心１６０の変化に対応するように翼１１０を翼移動装置１５０に沿って後方に移動させることによって重心１６０を再び整合させることができる。
【００２９】
本明細書で説明したような翼移動装置１５０を使用すると、航空機１００のバラストの必要性を排除して性能及び最大積載量を向上させることができる。航空機１００は、ペイロード１３０及び重心１６０のあらゆる変化を考慮するように、各飛行前に単純に迅速な再構成を受ければよい。このことは、各飛行前にペイロード（例えば、人員、設備、燃料など）を配置し直し、及び／又は計算された量のバラストを航空機１００に加えるという面倒で時間の掛かるタスクとは対照的である。
【００３０】
図４Ａ〜図４Ｄに、本開示の特定の実施形態による翼移動装置１５０の使用例を示す。翼移動装置１５０は、高翼マウント（すなわち、翼１１０が機体１２０の頂部に結合する）構成、中間翼マウント（すなわち、翼１１０が機体１２０の内部に結合する）構成、低翼マウント（すなわち、翼１１０が機体１２０の底部に結合する）構成、及び側翼マウント（すなわち、翼１１０が機体１２０の側部に結合する）構成を含む、航空機１００の様々な構成と共に使用することができる。以下、図４Ａ〜図４Ｄに関連してこれらの各構成についてさらに詳細に説明する。
【００３１】
図４Ａには、高翼マウント式航空機１００Ａに取り付けられた翼移動装置１５０を示す。このような実施形態では、翼移動装置１５０を機体１２０の頂部に結合し、翼１１０を翼移動装置１５０の遠位面（例えば、上面３１０）に結合することができる。いくつかの実施形態では、翼１１０が、締結具１１５を用いて翼移動装置１５０の上面３１０に取り付けられる。いくつかの実施形態では、本明細書で説明したような重心１６０と揚力点１７０との再整合に、翼１１０を翼移動装置１５０の遠位面に沿って前方向又は後方向に移動させることが必要となり得る。
【００３２】
図４Ｂには、中間翼マウント式航空機１００Ｂに取り付けられた翼移動装置１５０を示す。このような実施形態では、翼移動装置１５０を機体１２０の内部に結合することができる。中間翼マウント式航空機１００Ｂのフェアリング及び機体１２０は、翼移動装置１５０に沿った翼１１０の移動に対応するのに十分な空間を含む。
【００３３】
中間翼マウント式航空機１００Ｂの機体１２０は、機体１２０に翼１１０を通すように構成された複数の開口部４１０を含むことができる。いくつかの中間翼マウント式航空機の実施形態では、翼１１０を翼移動装置１５０の上面３１０に結合することができる。いくつかの他の中間翼マウント式航空機の実施形態では、翼１１０を翼移動装置１５０の底面３１５に結合することができる。翼１１０は、機体１２０の内部に結合しているが、いくつかの実施形態では、機体１２０が、翼移動装置１５０に沿って翼１１０を容易に移動できるように構成される。例えば、中間翼マウント式航空機１００Ｂの機体１２０は、上半分及び下半分を含むことができる。このような実施形態では、機体の半分を互いに分離することができる。機体の上半分を機体の下半分から分離することによって翼移動装置１５０を露出させ、重心１６０又はペイロード１３０の変化に応じて翼移動装置１５０上で翼１１０を前方又後方に移動させることができる。再整合が実現された時点で、飛行できるように機体の半分同士を再結合することができる。この例には特定の構成を示しているが、中間翼マウント式航空機１００Ｂにおける翼移動装置１５０に沿った翼１２０の移動を可能にする他の好適な機体構成も検討される。
【００３４】
図４Ｃには、低翼マウント式航空機１００Ｃに取り付けられた翼移動装置１５０を示す。このような実施形態では、翼移動装置１５０を機体１２０の底部に結合することができ、翼１１０を翼移動装置１５０の遠位面（例えば、上面３１０）に結合することができる。いくつかの実施形態では、本明細書で説明したような重心１６０と揚力点１５０との再整合に、翼移動装置１５０の遠位面に沿って翼１１０を前方向又は後方向に移動させることが必要となり得る。
【００３５】
図４Ｄには、側翼マウント式航空機１００Ｄに取り付けられた翼移動装置１５０を示す。いくつかの側翼マウント式の実施形態では、翼１１０が、第１の側翼４５１ａ及び第２の側翼４５０ｂという２つの部分を含む。側翼４５０は対称であり、開口部３０５を用いて翼移動装置１５０の側面３２０に結合することができる。他の実施形態では、側翼４５０が対称であり、開口部２１５を用いて翼移動装置１５０の遠位面（例えば、上面３１０）に結合することができる。
【００３６】
例えば、図４Ｄに示すように、航空機１００Ｄの翼１１０は、側翼４５０ａ及び側翼４５０ｂを含む。翼移動装置１５０は、機体１２０の頂部に結合する。側翼４５０は、締結具１１５を用いて翼移動装置１５０に結合することができる。締結具１１５は、開口部３０５を通じて側翼４５０を翼移動装置１５０の側面３２０沿いに固定することができる。いくつかの実施形態では、翼移動装置１５０の側面３２０に側翼４５０を取り付けると、締結具１１５が水平に配向されるようになる。図４Ｄには、翼移動装置１５０の側面３２０に取り付けられた側翼４５０を示しているが、側翼４５０のためのあらゆる好適な取り付け位置を使用することができる。例えば、開口部２１５を通じて側翼４５０を翼移動装置１５０の遠位面（例えば、上面３１０）に結合することもできる。いくつかの実施形態では、翼移動装置１５０の遠位面に側翼４５０を取り付けると、締結具１１５が垂直に配向されるようになる。
【００３７】
また、図４Ｄには、機体１２０の頂部に結合した翼移動装置１５０を示しているが、本開示では、翼移動装置１５０を機体１２０のあらゆる好適な部分に結合することができると認める。例えば、いくつかの実施形態では、側翼マウント式航空機１００Ｄ上の翼移動装置１５０を機体１２０の底部に結合することができる。他の実施形態では、側翼マウント式航空機１００Ｄ上の翼移動装置１５０を機体１２０の内部に結合することができる。
【００３８】
本明細書における「又は（ｏｒ）」は、別途明確に示していない限り、又は文脈的に別途示していない限り包括的であって排他的ではない。従って、本明細書における「Ａ又はＢ」は、別途明確に示していない限り、又は文脈的に別途示していない限り、Ａ、Ｂ、又はこれらの両方を意味する。さらに、「及び（ａｎｄ）」は、別途明確に示していない限り、又は文脈的に別途示していない限り、連帯的かつ個別的である。従って、本明細書における「Ａ及びＢ」は、別途明確に示していない限り、又は文脈的に別途示していない限り、「連帯的かつ個別的にＡ及びＢ」を意味する。
【００３９】
本開示の範囲は、本明細書において説明又は図示した実施形態例に対する、当業者が理解する全ての変更、置換、変形、改変及び修正を含む。本開示は、本明細書において説明又は図示した実施形態例に限定されるものではない。さらに、本開示では、本明細書におけるそれぞれの実施形態を、特定の構成部品、要素、機能、動作又はステップを含むものとして説明し図示したが、これらの実施形態は、いずれも本明細書のあらゆる箇所で説明又は図示した構成部品、要素、機能、動作又はステップの、当業者が理解するあらゆる組み合わせ又は置換を含むことができる。さらに、添付の特許請求の範囲における、特定の機能を実行するように適合された（ａｄａｐｔｅｄ  ｔｏ）、するように構成された（ａｒｒａｎｇｅｄ  ｔｏ）、することができる（ｃａｐａｂｌｅ  ｏｆ）、するように構成された（ｃｏｎｆｉｇｕｒｅｄ  ｔｏ）、することができる（ｅｎａｂｌｅｄ  ｔｏ）、又はするように動作する（ｏｐｅｒａｔｉｖｅ  ｔｏ）装置、システム、或いは装置又はシステムの構成部品という言及は、これらの装置、システム又は構成部品がそのように適合され、構成され、行うことができ、構成され、行うことができ、又は動作できる限り、これらの装置、システム又は構成部品、或いはその特定の機能が作動するか否か、オンになっているか否か、又はロック解除されているか否かに関わらず、これらの装置、システム又は構成部品を含む。
【符号の説明】
【００４０】
１００  航空機
１１０  翼
１１５  締結具
１２０  機体
１３０  ペイロード
１５０  翼移動装置
１６０  重心
１７０  揚力点
【図１】
0006711777.tif 000002
【図２】
0006711777.tif 000003
【図３】
0006711777.tif 000004
【図４Ａ】
0006711777.tif 000005
【図４Ｂ】
0006711777.tif 000006
【図４Ｃ】
0006711777.tif 000007
【図４Ｄ】
0006711777.tif 000008